(57)【特許請求の範囲】
【請求項１】
複数の送受信兼用アンテナと、前記アンテナで受信された信号を復調するベースバンド復調部と、送信アンテナを切り換える送信アンテナ切換部とを備え、受信信号の受信状態に基づいて、その後に送信する送信信号の送信アンテナを切り換えるＴＤＤ通信方式の送受信装置において、
前記ベースバンド復調部に、
複数の前記アンテナで受信された各ブランチの受信信号を等化処理して合成する最大比合成適応等化器と、
前記最大比合成適応等化器の収束タップ係数を用いて算出した各ブランチにおける遅延分散値を比較し、前記遅延分散値が最小となるブランチを選択して、そのブランチに対応する送信アンテナへの切り換えを前記送信アンテナ切換部に指示する比較器と
を具備することを特徴とする送受信装置。
【請求項２】
前記比較器が、前記最大比合成適応等化器の収束タップ係数を用いて算出した各ブランチにおける前記遅延分散値を含む複数種類の判断基準値を比較し、前記複数種類の判断基準値による総合評価が最も高いブランチを選択することを特徴とする請求項１に記載の送受信装置。
【請求項３】
前記比較器が、前記複数種類の判断基準値の各々によって該当するブランチを順次絞り込み、最後の判断基準値によって選択すべきブランチを１つに絞り込むことを特徴とする請求項２に記載の送受信装置。
【請求項４】
前記比較器が、各ブランチの前記複数種類の判断基準値を種類に応じた重み付けを行なって合計し、その合計値が最大となるブランチを選択することを特徴とする請求項２に記載の送受信装置。
【請求項５】
前記複数種類の判断基準値として、前記遅延分散値の他に、ＳＮ比及び係数パワーの内の１つ以上を用いることを特徴とする請求項２乃至４に記載の送受信装置。
【発明の詳細な説明】
【０００１】
【発明の属する技術分野】
本発明は、ＴＤＤ方式の通信において送信ダイバーシチを行なう送受信装置に関し、特に、伝送路状態が最適な送信アンテナを適切に選択できるようにしたものである。
【０００２】
【従来の技術】
送信と受信とを同一周波数により時分割で行なうＴＤＤ通信方式のセルラ無線通信システムでは、複数のアンテナの中から受信の際に最も高い受信パワーが得られたアンテナを選択して送信を行なう送信ダイバーシチ方式の送受信装置が用いられている。
【０００３】
従来のこの送受信装置は、図９に示すように、送受信兼用の第１のアンテナ５９と、送受信兼用の第２のアンテナ６０と、第１のアンテナ５９の送受分離器６１と、第２のアンテナの送受分離器６２と、第１のアンテナ５９で受信した受信信号をベースバンド帯域にダウンコンバートする受信機６３と、第２のアンテナで受信した受信信号をベースバンド帯域にダウンコンバートする受信機６４と、受信信号を復号して復号データ６９を出力するベースバンド復調部６５と、受信機６３の出力によって受信パワーを検出するＲＳＳＩ部６６と、受信機６４の出力によって受信パワーを検出するＲＳＳＩ部６７と、検出された受信パワーを比較してアンテナ選択情報を出力する比較器６８と、アンテナ選択情報に基づいてアンテナを選択する送信アンテナ切換器７０と、入力する変調データ７３によりベースバンド変調処理を行なうベースバンド変調部７２と、ベースバンド変調部７２から出力された信号を無線信号にアップコンバートする送信機７１とを備えている。
【０００４】
この装置では、第１のアンテナ５９及び第２のアンテナ６０で受信された受信信号の受信パワーがＲＳＳＩ部６６及びＲＳＳＩ部６７によって検出され、比較器６８に出力される。比較器６８は、これらの受信パワーを比較し、受信パワーの大きい方のブランチに接続されるアンテナを選択するためのアンテナ選択情報を送信アンテナ切換器７０に出力し、送信アンテナ切換器７０は、アンテナ選択情報に従って、アンテナ５９またはアンテナ６０を選択する。
【０００５】
一方、ベースバンド変調部７２は、入力する変調データ７３に基づいてベースバンド変調処理を行ない、送信機７１は、変調された信号を無線信号にアップコンバートする。送信機７１から出力された送信信号は、送信アンテナ切換器７０の選択したアンテナより送信される。
【０００６】
このように、ＴＤＤ方式の送受信装置では、送信に際して、先の受信時に最も高い受信レベルの信号を受信したアンテナを選択する送信ダイバーシチが行なわれる。
【０００７】
【発明が解決しようとする課題】
しかし、従来の送信ダイバーシチを行なう送受信装置では、受信レベルを検出するためのアナログ回路（ＲＳＳＩ部）を特別に設けているため、回路規模が増大するという問題点を有している。
【０００８】
また、従来のこの装置では、ベースバンド前段の受信機の出力により受信レベルを検出しているため、隣接波やマルチパスが含まれたままの受信レベルが検出され、主波の受信レベルを正確に検出することができず、そのため、通信品質の最もよいブランチの送信アンテナを選択することができないという問題点を有している。
【０００９】
本発明は、こうした従来の問題点を解決するものであり、小さな回路規模を持ち、また、隣接波、フェージングやマルチパスが存在する場合でも、通信品質の最もよい送信アンテナを選択することができる送受信装置を提供することを目的としている。
【００１０】
【課題を解決するための手段】
そこで、本発明の送受信装置では、ベースバンド復調部に、複数のアンテナで受信された各ブランチの受信信号を等化処理して合成する最大比合成適応等化器と、この最大比合成適応等化器の収束タップ係数から算出した値を比較して、ブランチの１つを選択する比較器とを設けている。
【００１１】
この送受信装置では、最大比合成適応等化器が合成した等化出力は受信データの復号に用いられ、最大比合成適応等化器の収束タップ係数は比較器での送信アンテナの選択に用いられる。そのため、比較器では主波の受信レベルに基づいて、最適のブランチを選択することができる。
【００１２】
また、比較器の機能は、ベースバンド復調部のディジタル信号処理の一環として実現することができるため、小規模の回路で送信ダイバーシチを行なうことができる。
【００１３】
【発明の実施の形態】
本発明の請求項１に記載の発明は、複数の送受信兼用アンテナと、このアンテナで受信された信号を復調するベースバンド復調部と、送信アンテナを切り換える送信アンテナ切換部とを備え、受信信号の受信状態に基づいて、その後に送信する送信信号の送信アンテナを切り換えるＴＤＤ通信方式の送受信装置において、ベースバンド復調部に、複数のアンテナで受信された各ブランチの受信信号を等化処理して合成する最大比合成適応等化器と、最大比合成適応等化器の収束タップ係数を用いて算出した各ブランチにおける遅延分散値を比較し、この遅延分散値が最小となるブランチを選択して、そのブランチに対応する送信アンテナへの切り換えを送信アンテナ切換部に指示する比較器とを設けたものであり、遅延分散値が最適値を示すブランチを選択して送信ダイバーシチを行なうことができ、送信に際し、遅延分散を抑制して通信品質の向上を図ることができる。
【００１８】
請求項２に記載の発明は、比較器が、最大比合成適応等化器の収束タップ係数を用いて算出した各ブランチにおける前記遅延分散値を含む複数種類の判断基準値を比較し、この複数種類の判断基準値による総合評価が最も高いブランチを選択するように構成したものであり、複数の基準に照らして、最も適切なブランチを選択することができる。
【００１９】
請求項３に記載の発明は、比較器が、複数種類の判断基準値の各々によって該当するブランチを順次絞り込み、最後の判断基準値によって選択すべきブランチを１つに絞り込むように構成したものであり、多観点から見た最適なブランチを効率的に絞り込むことができる。
【００２０】
請求項４に記載の発明は、比較器が、各ブランチの複数種類の判断基準値を種類に応じた重み付けを行なって合計し、その合計値が最大となるブランチを選択するように構成したものであり、複数の基準の総合評価により適切なブランチを選択することができる。
【００２１】
請求項５に記載の発明は、複数種類の判断基準値として、遅延分散値の他に、ＳＮ比及び係数パワーの内の１つ以上を用いるようにしたものであり、それらを判断の基準として、最適なブランチを選択することができる。
【００２２】
以下、本発明の実施の形態について、図面を用いて説明する。
【００２３】
（第１の実施の形態）
第１の実施形態の送受信装置は、図１に示すように、第１の送受信兼用アンテナ１と、第２の送受信兼用アンテナ２と、第１のアンテナ１の送受分離器３と、第２のアンテナ２の送受分離器４と、第１のアンテナ１で受信した受信信号をべースバンド帯域にダウンコンバートする受信機５と、第２のアンテナ２で受信した受信信号をベースバンド帯域にダウンコンバートする受信機６と、各受信機５、６の出力をディジタル処理して復調するベースバンド復調部７と、ベースバンド復調部７に内蔵された最大比合成適応等化器８と、最大比合成適応等化器８のタップ係数を利用してアンテナ選択情報を生成するベースバンド復調部７内の比較器９と、比較器９から出力されるアンテナ選択情報に基づいてアンテナを選択する送信アンテナ切換器１１と、入力する変調データ１４によりベースバンド変調処理を行なうベースバンド変調部１３と、ベースバンド変調部１３から出力された信号を無線信号にアップコンバートする送信機１２とを備えている。
【００２４】
最大比合成適応等化器８は、各ブランチの受信信号を等化処理し、各ブランチの受信レベルに比例した重み付けを行なって合成する。ベースバンド復調部７は、この最大比合成適応等化器８の出力を用いて復号処理を行ない、復号データ１０を出力する。また、比較器９は、最大比合成適応等化器８のタップ係数に基づいてアンテナ選択情報を生成する。
【００２５】
最大比合成適応等化器８は、図２に示すように、ブランチ１の遅延線１５と、複素タップ係数１７と、遅延線１５で順次遅延されたデータに複素タップ係数１７を乗算して加算する積和演算部１９とから成るＦＩＲフィルタと、ブランチ２の遅延線１６と、複素タップ係数１８と、遅延線１６で順次遅延されたデータに複素タップ係数１８を乗算して加算する積和演算部２０とから成るＦＩＲフィルタと、ブランチ１及びブランチ２のＦＩＲフィルタの出力を加算する加算器２１とを備えており、複素タップ係数として、各ブランチの受信レベルに比例する重み付けがされた係数が設定される。
【００２６】
また、比較器９は、図３に示すように、機能ブロックとして、最大比合成適応等化器２３の収束タップ係数の中から最大タップ係数を検出する最大係数検出器２５と、この検出結果を基にアンテナ選択情報を出力する送信アンテナ選択器２６とを備えており、これらの各ブロックの機能が、ベースバンド復調部２２のディジタル信号処理によって実現される。
【００２７】
この送受信装置では、第１のアンテナ１及び第２のアンテナ２で受信された信号が、受信機５、６でべースバンド帯域にダウンコンバートされベースバンド復調部７の最大比合成適応等化器８に入力する。
【００２８】
最大比合成適応等化器８では、２つのＦＩＲフィルタのそれぞれが、第１のアンテナ１で受信されたブランチ１のデータ及び第２のアンテナ２で受信されたブランチ２のデータの等化処理を行ない、加算器２１がそれらの結果を合成する。
【００２９】
このとき、各ブランチ１、２の受信信号は遅延線１５、１６に入力し、積和演算部１９、２０において、遅延した信号に各タップ係数１７、１８を乗算して加算する畳込み演算が行なわれ、各積和演算部１９、２０の演算結果が加算部２１で合成される。
【００３０】
ベースバンド復調部７は、この加算部２１の出力から受信信号を識別し、データを復号する。
【００３１】
最大比合成適応等化器８の各ブランチにおけるタップ係数１７、１８は、既知の送信データに対する受信信号の識別誤差が最小になるように収束する。この収束したタップ係数は、入力レベルに比例した大きさを持ち、各ブランチのタップ係数は各ブランチのインパルス応答に対応した大きさに適応的に更新される。
【００３２】
ここで、あるスロットにおけるタップ係数の収束値を、
タップ係数定義；αｉｊ  （ｉ＝１，‥，Ｍ、ｊ＝１，‥，Ｎ、Ｍはブランチ数、Ｎはタップ数）と表すことにする。
【００３３】
比較器２４の最大係数検出器２５は、最大比合成適応等化器２３の各ＦＩＲフィルタにおける収束タップ係数αｉｊを比較し、全ブランチのタップ係数の中から最大のタップ係数を検出する。いま、
全ブランチ中の最大タップ係数；αＢＡ  （ｉ＝Ｂ、ｊ＝Ａ）
とする。
【００３４】
この検出結果を受けて、比較器２４の送信アンテナ選択器２６は、最大のタップ係数αＢＡが含まれるブランチＢを選択するアンテナ選択情報を送信アンテナ切換器１１に出力する。
【００３５】
送信アンテナ切換器１１は、このアンテナ選択情報に従ってアンテナ１または２を選択する。
【００３６】
ベースバンド変調部１３は、入力する変調データ１４に応じてベースバンド変調処理を行ない、処理した信号を送信機１２に出力する。送信機１２は、変調された信号を無線信号にアップコンバートし、この送信機１２の出力は、選択されたアンテナ１または２を通じて送信される。
【００３７】
このように、この送受信装置では、最大比合成適応等化器の各ＦＩＲフィルタにおける収束タップ係数の中で最大のタップ係数を含むブランチを選択する送信ダイバーシチを行なっている。そのため、送信に際して、隣接波を排除した主波の受信レベルの最も高いブランチのアンテナを選択することができる。
【００３８】
また、この装置の比較器の機能は、ベースバンド復調部でのディジタル信号処理によって実現することができるため、従来の装置に比べて、少ない回路規模で通信品質の向上を図ることができる。
【００３９】
なお、この実施形態では、ブランチが２つの場合を例示しているが、ブランチが３以上であっても同じように構成することができる。
【００４０】
（第２の実施の形態）
第２の実施形態の送受信装置は、送信に際して、遅延波の影響が少ないアンテナを選択することができる。
【００４１】
この装置は、図４に示すように、ベースバンド復調部２７が、最大比合成適応等化器２８と、最大比合成適応等化器２８のタップ係数を利用してアンテナ選択情報を生成する比較器２９とを備え、この比較器２９が、機能ブロックとして、最大比合成適応等化器２８の収束タップ係数を用いて各ブランチごとの遅延分散値を検出する遅延分散検出器３０と、この検出結果を基にアンテナ選択情報を出力する送信アンテナ選択器３１とを具備している。比較器２９の各ブロックの機能はベースバンド復調部２７のディジタル信号処理によって実現される。その他の構成は第１の実施形態（図１、図２）と変わりがない。
【００４２】
この装置では、比較器２９の遅延分散検出器３０が、最大比合成適応等化器２８の収束タップ係数を用いて、各ブランチごとの遅延分散値Ａτを次式によって検出する。
【００４３】
ブランチｉの遅延分散値；Ａτｉ＝Σ（ｊ−Ａｉ）２｜αｉｊ｜２  ／  Σ｜αｉｊ｜２
（各Σはｊ＝１からＮまで加算）
上式においてＡｉは各ブランチにおける最大係数である。
【００４４】
送信アンテナ選択器３１は、遅延分散値Ａτが最小となるブランチを選択するアンテナ選択情報を送信アンテナ切換器に出力する。
【００４５】
このように遅延分散の最も少ないブランチを選択することにより、遅延波の影響が少ない送信アンテナを用いて送信することが可能となる。
【００４６】
（第３の実施の形態）
第３の実施形態の送受信装置は、ＳＮ比の良好なブランチのアンテナを選択して送信することができる。
【００４７】
この装置は、図５に示すように、ベースバンド復調部３２が、最大比合成適応等化器３３と、最大比合成適応等化器３３のタップ係数を利用してアンテナ選択情報を生成する比較器３４とを備え、この比較器３４が、機能ブロックとして、最大比合成適応等化器３３の収束タップ係数を用いて各ブランチごとのＳＮ比Ａｓを検出するＳＮ比検出器３５と、この検出結果を基にアンテナ選択情報を出力する送信アンテナ選択器３６とを具備している。比較器３４の各ブロックの機能はベースバンド復調部３２のディジタル信号処理によって実現される。その他の構成は第１の実施形態（図１、図２）と変わりがない。
【００４８】
この装置では、比較器３４のＳＮ比検出器３５が、最大比合成適応等化器３３の収束タップ係数を用いて、各ブランチごとのＳＮ比Ａｓを次式によって検出する。
【００４９】
ブランチｉのＳＮ検出値；Ａｓｉ＝Σ｜αｉｊ｜２／（Ｎ２＋Σ｜αｉｊ｜２（ｊ−Ａｉ）２）
（各Σはｊ＝１からＮまで加算）
上式においてＡｉは各ブランチにおける最大係数である。
【００５０】
送信アンテナ選択器３６は、ＳＮ検出値Ａｓｉが最大となるブランチを選択するアンテナ選択情報を送信アンテナ切換器に出力する。
【００５１】
この場合、遅延分散もノイズに含まれ、ＳＮ比検出器３５は、遅延波の影響を含めたＳＮ比を検出する。従って、送信アンテナ選択器３６により、遅延波の影響が少なく、良好なＳＮ比を有する送信アンテナが選択される。
【００５２】
（第４の実施の形態）
第４の実施形態の送受信装置は、受信パワーが最も大きいブランチのアンテナを選択して送信することができる。
【００５３】
この装置は、図６に示すように、ベースバンド復調部３７が、最大比合成適応等化器３８と、最大比合成適応等化器３８のタップ係数を利用してアンテナ選択情報を生成する比較器３９とを備え、この比較器３９が、機能ブロックとして、最大比合成適応等化器３８の収束タップ係数を用いて各ブランチごとの係数パワーＡｐを検出する係数パワー検出器４０と、この検出結果を基にアンテナ選択情報を出力する送信アンテナ選択器４１とを具備している。比較器３９の各ブロックの機能はベースバンド復調部３７のディジタル信号処理によって実現される。その他の構成は第１の実施形態（図１、図２）と変わりがない。
【００５４】
この装置では、比較器３９の係数パワー検出器４０が、最大比合成適応等化器３８の収束タップ係数を用いて、各ブランチごとの係数パワーＡｐを次式によって検出する。
【００５５】
ブランチｉの係数パワー値；Ａｐｉ＝Σ｜αｉｊ｜２
（各Σはｊ＝１からＮまで加算）
送信アンテナ選択器４１は、係数パワーＡｐが最大となるブランチを選択するアンテナ選択情報を送信アンテナ切換器に出力する。
【００５６】
このように、この送受信装置では、最大比合成適応等化器から得られるタップ係数の係数パワーを各ブランチごとに検出し、その係数パワーが最も大きいブランチを選択することによって、受信レベルの最も高いブランチを的確に選択することができる。
【００５７】
（第５の実施の形態）
第５の実施形態の送受信装置は、複数の判断基準に基づいて送信に用いるアンテナを選択する。
【００５８】
この装置は、図７に示すように、ベースバンド復調部４２が、最大比合成適応等化器４３と、最大比合成適応等化器４３のタップ係数を利用してアンテナ選択情報を生成する比較器４４とを備え、この比較器４４が、複数のブランチの中から第１の判断基準に該当する複数のブランチを検出する判断基準１検出器４５と、判断基準１検出器４５によって検出された複数のブランチの中から第２の判断基準に該当する複数のブランチを検出する判断基準２検出器４６と、前段の判断基準検出器によって検出された複数のブランチの中からｎ番目の判断基準に該当する１つのブランチを検出する判断基準ｎ検出器４７と、この判断基準ｎ検出器４７の検出したブランチを選択するアンテナ選択情報を出力する送信アンテナ選択器４８とを具備している。比較器４４の各ブロックの機能はベースバンド復調部４２のディジタル信号処理によって実現される。その他の構成は第１の実施形態（図１、図２）と変わりがない。
【００５９】
この装置では、比較器４４の判断基準１検出器４５が、最大比合成適応等化器４３の収束タップ係数を用いて、例えば、各ブランチごとの係数パワーＡｐを検出し、この係数パワーＡｐが閾値以上である複数のブランチを検出する。また、判断基準２検出器４６は、最大比合成適応等化器４３の収束タップ係数を用いて、判断基準１検出器４５の検出した複数のブランチの、例えば遅延分散値Ａτを検出し、遅延分散値Ａτが閾値以下である複数のブランチを検出する。
【００６０】
このように、複数の観点からブランチの絞り込みが繰り返され、判断基準ｎ検出器４７は、最大比合成適応等化器４３の収束タップ係数を用いて、絞り込まれた複数のブランチの、例えばＳＮ比を検出し、ＳＮ比が最も大きいブランチを検出する。
【００６１】
送信アンテナ選択器４８は、判断基準ｎ検出器４７が検出したブランチを選択するアンテナ選択情報を送信アンテナ切換器に出力する。
【００６２】
このように、この送受信装置は、タップ係数パワー、遅延分散値、ＳＮ比などの複数の基準に基づいてブランチを選択することにより、通信品質の一層の向上を図ることができる。
【００６３】
（第６の実施の形態）
第６の実施形態の送受信装置は、重み付けした複数の判断基準の総合結果に基づいて送信に用いるアンテナを選択する。
【００６４】
この装置は、図８に示すように、ベースバンド復調部４９が、最大比合成適応等化器５０と、最大比合成適応等化器５０のタップ係数を利用してアンテナ選択情報を生成する比較器５１とを備え、この比較器５１が、第１の判断基準に基づいて各ブランチの検出値を算出する判断基準１検出器５２と、判断基準１検出器５２の検出した検出値に重み付け係数１を乗算する乗算器５５と、第２の判断基準に基づいて各ブランチの検出値を算出する判断基準２検出器５３と、判断基準２検出器５３の検出した検出値に重み付け係数２を乗算する乗算器５６と、第ｎ番目の判断基準に基づいて各ブランチの検出値を算出する判断基準ｎ検出器５４と、判断基準ｎ検出器５４の検出した検出値に重み付け係数ｎを乗算する乗算器５７と、各乗算器５５〜５７の出力を各ブランチ毎に加算し、最も点数の高いブランチを選択して、そのアンテナ選択情報を出力する送信アンテナ選択器５８とを具備している。比較器５１の各ブロックの機能はベースバンド復調部４９のディジタル信号処理によって実現される。その他の構成は第１の実施形態（図１、図２）と変わりがない。
【００６５】
この装置では、比較器５１の判断基準１検出器５２が、最大比合成適応等化器５０の収束タップ係数を用いて、例えば、各ブランチごとの係数パワーＡｐを検出し、乗算器５５が、この各ブランチの係数パワーＡｐに重み付け係数１を乗算する。この乗算器５５の算出値は送信アンテナ選択器５８に出力される。
【００６６】
また、判断基準２検出器５３は、最大比合成適応等化器５０の収束タップ係数を用いて、例えば、各ブランチごとの遅延分散値Ａτを検出し、乗算器５６が、この各ブランチの遅延分散値Ａτに重み付け係数２を乗算する。この乗算器５６の算出値は送信アンテナ選択器５８に出力される。
【００６７】
また、判断基準ｎ検出器５４は、最大比合成適応等化器５０の収束タップ係数を用いて、例えば、各ブランチごとのＳＮ比を検出し、乗算器５７が、この各ブランチのＳＮ比に重み付け係数ｎを乗算する。この乗算器５７の算出値は送信アンテナ選択器５８に出力される。
【００６８】
送信アンテナ選択器５８は、各乗算器５５〜５７の出力をそれぞれのブランチ毎に加算して最も点数の高いブランチを選択し、そのブランチを指定するアンテナ選択情報を送信アンテナ切換器に出力する。
【００６９】
このように、この送受信装置では、タップ係数パワー、遅延分散値、ＳＮ比などの複数の基準に対して重み付けを行ない、それらの基準における値の加算値に基づいてブランチを選択している。送信に用いるアンテナを、複数の基準の総合評価で選択することにより、通信品質の一層の向上を図ることができる。
【００７０】
【発明の効果】
以上の説明から明らかなように、本発明の送受信装置は、遅延波の有無や主波のレベルなどを正確に検出することができ、その検出結果に基づいて送信アンテナを選択しているため、適切な送信ダイバーシチが可能となり、通信品質の向上を図ることができる。
【００７１】
また、この送信アンテナの選択は、ベースバンド復調部でのディジタルデータ処理によって実現することができるため、小さい回路規模で送信ダイバーシチを行なうことができる。
【図面の簡単な説明】
【図１】本発明の第１〜第６の実施形態における送受信装置の全体構成を示すブロック図、
【図２】本発明の第１〜第６の実施形態における最大比合成適応等化器の構成図、
【図３】本発明の第１の実施形態における送受信装置のベースバンド復調部の構成を示すブロック図、
【図４】本発明の第２の実施形態における送受信装置のベースバンド復調部の構成を示すブロック図、
【図５】本発明の第３の実施形態における送受信装置のベースバンド復調部の構成を示すブロック図、
【図６】本発明の第４の実施形態における送受信装置のベースバンド復調部の構成を示すブロック図、
【図７】本発明の第５の実施形態における送受信装置のベースバンド復調部の構成を示すブロック図、
【図８】本発明の第６の実施形態における送受信装置のベースバンド復調部の構成を示すブロック図、
【図９】従来の送受信装置の構成を示すブロック図である。
【符号の説明】
１、２、５９、６０  送受信兼用アンテナ
３、４、６１、６２  送受分離器
５、６、６３、６４    受信機
７、２２、２７、３２、３７、４２、４９、６５  ベースバンド復調部
８、２３、２８、３３、３８、４３、５０  最大比合成適応等化器
９、２４、２９、３４、３９、４４、５１、６８  比較器
１０、６９  復号データ
１１、７０  送信アンテナ切り換え部
１２、７１  送信部
１３、７２  ベースバンド変調部
１４、７３  変調データ
１５、１６  遅延線
１７、１８  タップ係数
１９、２０  積和演算部
２１  加算部
２６、３１、３６、４１、４８、５８  送信アンテナ選択器
２５  最大係数検出器
３０  遅延分散検出器
３５  ＳＮ検出器
４０  係数パワー検出器
４５、５２  判断基準１検出器
４６、５３  判断基準２検出器
４７、５４  判断基準ｎ検出器
５５、５６、５７  重み付け係数乗算器
６６、６７  受信パワー測定部
【図１】
0003611933.tif 000002
【図２】
0003611933.tif 000003
【図３】
0003611933.tif 000004
【図４】
0003611933.tif 000005
【図５】
0003611933.tif 000006
【図６】
0003611933.tif 000007
【図７】
0003611933.tif 000008
【図８】
0003611933.tif 000009
【図９】
0003611933.tif 000010